(57)【要約】  本発明は、フレキシブルマイクロ発光ダイオード表示パネル及びマイクロ発光ダイオード表示装置を提供する。前記フレキシブルマイクロ発光ダイオード表示パネルは、上面と、下面と、前記上面と前記下面とを接続する少なくとも一つの側面と、前記上面と前記側面とを接続する少なくとも一つの上Ｒ面取りと、を有する支持板と、前記上面に設けられるとともに複数のマイクロ発光ダイオードが設けられる表示領域と、少なくとも一つの前記上Ｒ面取り及び前記側面に設けられる少なくとも一つのフレーム部と、を有するフレキシブルマイクロ発光ダイオード基板と、前記フレーム部に電気的に接続されるＰＣＢと、を含む。【選択図】図１
2022501629.tif 000002
【特許請求の範囲】
【請求項１】
少なくとも二つのフレキシブルマイクロ発光ダイオード表示パネルを含むマイクロ発光ダイオード表示装置であって、
各フレキシブルマイクロ発光ダイオード表示パネルは、
上面と、下面と、前記上面と前記下面とを接続する少なくとも一つの側面と、前記上面と前記側面とを接続する少なくとも一つの上Ｒ面取りと、を有する支持板と、
前記上面に設けられるとともに複数のマイクロ発光ダイオードが設けられる表示領域と、折り曲げられて前記下面に延在するとともに少なくとも一つの前記上Ｒ面取り及び前記側面に接触する少なくとも一つのフレーム部と、を有するフレキシブルマイクロ発光ダイオード基板と、
前記フレーム部に電気的に接続されるプリント基板と、を含む、
マイクロ発光ダイオード表示装置。
【請求項２】
複数の前記マイクロ発光ダイオードにより複数の画素ユニットが形成され、
隣り合う二つの前記画素ユニットの間には、画素ユニットピッチを有し、
前記支持板の前記上Ｒ面取りの曲率半径は、前記画素ユニットピッチの半分よりも小さい、
請求項１に記載のマイクロ発光ダイオード表示装置。
【請求項３】
前記フレーム部は、少なくとも一つの角取りを有する、請求項１に記載のマイクロ発光ダイオード表示装置。
【請求項４】
前記プリント基板は、前記支持板の前記下面に設けられる、請求項１に記載のマイクロ発光ダイオード表示装置。
【請求項５】
前記支持板は、前記下面と前記側面とを接続する少なくとも一つの下Ｒ面取りをさらに含み、
前記フレーム部は、前記下Ｒ面取りに接触する、
請求項１に記載のマイクロ発光ダイオード表示装置。
【請求項６】
少なくとも二つの前記フレキシブルマイクロ発光ダイオード表示パネルの間には、黒テープが設けられる、請求項１に記載のマイクロ発光ダイオード表示装置。
【請求項７】
前記黒テープは、少なくとも二つの前記フレキシブルマイクロ発光ダイオード表示パネルのそれぞれにおける前記フレーム部の間に設けられる、請求項６に記載のマイクロ発光ダイオード表示装置。
【請求項８】
フレキシブルマイクロ発光ダイオード表示パネルであって、
上面と、下面と、前記上面と前記下面とを接続する少なくとも一つの側面と、前記上面と前記側面とを接続する少なくとも一つの上Ｒ面取りと、を有する支持板と、
前記上面に設けられるとともに複数のマイクロ発光ダイオードが設けられる表示領域と、少なくとも一つの前記上Ｒ面取り及び前記側面に設けられる少なくとも一つのフレーム部と、を有するフレキシブルマイクロ発光ダイオード基板と、
前記フレーム部に電気的に接続されるプリント基板と、を含む、
フレキシブルマイクロ発光ダイオード表示パネル。
【請求項９】
複数の前記マイクロ発光ダイオードにより複数の画素ユニットが形成され、
隣り合う二つの前記画素ユニットの間には、画素ユニットピッチを有し、
前記支持板の前記上Ｒ面取りの曲率半径は、前記画素ユニットピッチの半分よりも小さい、
請求項８に記載のフレキシブルマイクロ発光ダイオード表示パネル。
【請求項１０】
前記フレーム部は、少なくとも一つの角取りを有する、請求項８に記載のフレキシブルマイクロ発光ダイオード表示パネル。
【請求項１１】
前記プリント基板は、前記支持板の前記下面に設けられる、請求項８に記載のフレキシブルマイクロ発光ダイオード表示パネル。
【請求項１２】
前記支持板は、前記下面と前記側面とを接続する少なくとも一つの下Ｒ面取りをさらに含む、
請求項８に記載のフレキシブルマイクロ発光ダイオード表示パネル。
【請求項１３】
少なくとも二つのフレキシブルマイクロ発光ダイオード表示パネルを含むマイクロ発光ダイオード表示装置であって、
各フレキシブルマイクロ発光ダイオード表示パネルは、
上面と、下面と、前記上面と前記下面とを接続する少なくとも一つの側面と、前記上面と前記側面とを接続する少なくとも一つの上Ｒ面取りと、を有する支持板と、
前記上面に設けられるとともに複数のマイクロ発光ダイオードが設けられる表示領域と、少なくとも一つの前記上Ｒ面取り及び前記側面に設けられる少なくとも一つのフレーム部と、を有するフレキシブルマイクロ発光ダイオード基板と、
前記フレーム部に電気的に接続されるプリント基板と、を含む、
マイクロ発光ダイオード表示装置。
【請求項１４】
複数の前記マイクロ発光ダイオードにより複数の画素ユニットが形成され、
隣り合う二つの前記画素ユニットの間には、画素ユニットピッチを有し、
前記支持板の前記上Ｒ面取りの曲率半径は、前記画素ユニットピッチの半分よりも小さい、
請求項１３に記載のマイクロ発光ダイオード表示装置。
【請求項１５】
前記フレーム部は、少なくとも一つの角取りを有する、請求項１４に記載のマイクロ発光ダイオード表示装置。
【請求項１６】
前記プリント基板は、前記支持板の前記下面に設けられる、請求項１３に記載のマイクロ発光ダイオード表示装置。
【請求項１７】
少なくとも二つの前記フレキシブルマイクロ発光ダイオード表示パネルの間には、黒テープが設けられる、請求項１３に記載のマイクロ発光ダイオード表示装置。
【発明の詳細な説明】
【技術分野】
【０００１】
本発明は、表示技術分野に関し、特にフレキシブルマイクロ発光ダイオード表示パネル及びマイクロ発光ダイオード表示装置に関する。
【背景技術】
【０００２】
マイクロ発光ダイオード（Ｍｉｃｒｏ  ＬＥＤ）モニタは、ＯＬＥＤモニタに比べ、高発光効率、広色域、高輝度、高透明性、低消費電力、高信頼性、及び長寿命等の利点を有するため、次世代のモニタとして注目される。マイクロ発光ダイオードモニタの製造において、マイクロ発光ダイオードペレットをＴＦＴ基板に移転して接合する必要がある。しかしながら、マイクロ発光ダイオードペレットの移転及び接合技術は、設備の開発に制限されている（例えば、大量のマイクロ発光ダイオードペレットをＴＦＴ基板に移転するときの位置合わせの問題がある）。現在、大きいサイズのマイクロ発光ダイオード表示パネルを直接製造することが困難である。
【発明の概要】
【発明が解決しようとする課題】
【０００３】
そこで、複数の小さいサイズのマイクロ発光ダイオードパネルをスプライスすることにより、大きいサイズのマイクロ発光ダイオードモニタを実現する技術は、開発方向として具現性がある。しかしながら、スプライスされる複数のマイクロ発光ダイオードパネルの間に表示機能を持たないスリットが存在する。そのため、シームレススプライスを如何にして達成できるかは、大きいサイズのマイクロ発光ダイオード表示装置を実現する重要な問題となっている。
【０００４】
よって、従来技術における問題を解決するために、フレキシブルマイクロ発光ダイオード表示パネル及びマイクロ発光ダイオード表示装置を提供する必要がある。
【０００５】
本発明は、フレキシブルマイクロ発光ダイオード表示パネル及びマイクロ発光ダイオード表示装置を提供することにより、複数のマイクロ発光ダイオードパネルをシームレススプライスすることで、大きいサイズのマイクロ発光ダイオード表示装置を実現することを目的とする。
【課題を解決するための手段】
【０００６】
上記の目的を実現するために、本発明のある態様によれば、
少なくとも二つのフレキシブルマイクロ発光ダイオード表示パネルを含むマイクロ発光ダイオード表示装置であって、
各フレキシブルマイクロ発光ダイオード表示パネルは、
上面と、下面と、前記上面と前記下面とを接続する少なくとも一つの側面と、前記上面と前記側面とを接続する少なくとも一つの上Ｒ面取りと、を有する支持板と、
前記上面に設けられるとともに複数のマイクロ発光ダイオードが設けられる表示領域と、折り曲げられて前記下面に延在するとともに少なくとも一つの前記上Ｒ面取り及び前記側面に接触する少なくとも一つのフレーム部と、を有するフレキシブルマイクロ発光ダイオード基板と、
前記フレーム部に電気的に接続されるプリント基板と、を含む、
マイクロ発光ダイオード表示装置が提供される。
【０００７】
本発明のある態様によれば、
複数の前記マイクロ発光ダイオードにより複数の画素ユニットが形成され、
隣り合う二つの前記画素ユニットの間には、画素ユニットピッチを有し、
前記支持板の前記上Ｒ面取りの曲率半径は、前記画素ユニットピッチの半分よりも小さい。
【０００８】
本発明のある態様によれば、
前記フレーム部は、少なくとも一つの角取りを有する。
【０００９】
本発明のある態様によれば、
前記プリント基板は、前記支持板の前記下面に設けられる。
【００１０】
本発明のある態様によれば、
前記支持板は、前記下面と前記側面とを接続する少なくとも一つの下Ｒ面取りをさらに含み、
前記フレーム部は、前記下Ｒ面取りに接触する。
【００１１】
本発明のある態様によれば、
少なくとも二つの前記フレキシブルマイクロ発光ダイオード表示パネルの間には、黒テープが設けられる。
【００１２】
本発明のある態様によれば、
前記黒テープは、少なくとも二つの前記フレキシブルマイクロ発光ダイオード表示パネルのそれぞれにおける前記フレーム部の間に設けられる。
【００１３】
本発明の他の態様によれば、
フレキシブルマイクロ発光ダイオード表示パネルであって、
上面と、下面と、前記上面と前記下面とを接続する少なくとも一つの側面と、前記上面と前記側面とを接続する少なくとも一つの上Ｒ面取りと、を有する支持板と、
前記上面に設けられるとともに複数のマイクロ発光ダイオードが設けられる表示領域と、少なくとも一つの前記上Ｒ面取り及び前記側面に設けられる少なくとも一つのフレーム部と、を有するフレキシブルマイクロ発光ダイオード基板と、
前記フレーム部に電気的に接続されるプリント基板（ＰＣＢ）と、を含む
フレキシブルマイクロ発光ダイオード表示パネルがさらに提供される。
【００１４】
本発明の他の態様によれば、
複数の前記マイクロ発光ダイオードにより複数の画素ユニットが形成され、
隣り合う二つの前記画素ユニットの間には、画素ユニットピッチを有し、
前記支持板の前記上Ｒ面取りの曲率半径は、前記画素ユニットピッチの半分よりも小さい。
【００１５】
本発明の他の態様によれば、
前記フレーム部は、少なくとも一つの角取りを有する。
【００１６】
本発明の他の態様によれば、
前記プリント基板（ＰＣＢ）は、前記支持板の前記下面に設けられる。
【００１７】
本発明の他の態様によれば、
前記支持板は、少なくとも一つの下Ｒ面取りをさらに含み、
少なくとも一つの前記下Ｒ面取りが前記下面及び前記側面に接続される。
【００１８】
本発明の他の態様によれば、
少なくとも二つのフレキシブルマイクロ発光ダイオード表示パネルを含むマイクロ発光ダイオード表示装置であって、
各フレキシブルマイクロ発光ダイオード表示パネルは、
上面と、下面と、前記上面と前記下面とを接続する少なくとも一つの側面と、前記上面と前記側面とを接続する少なくとも一つの上Ｒ面取りと、を有する支持板と、
前記上面に設けられるとともに複数のマイクロ発光ダイオードが設けられる表示領域と、少なくとも一つの前記上Ｒ面取り及び前記側面に設けられる少なくとも一つのフレーム部と、を有するフレキシブルマイクロ発光ダイオード基板と、
前記フレーム部に電気的に接続されるプリント基板（ＰＣＢ）と、を含む、
マイクロ発光ダイオード表示装置がさらに提供される。
【００１９】
本発明の他の態様によれば、
複数の前記マイクロ発光ダイオードにより複数の画素ユニットが形成され、
隣り合う二つの前記画素ユニットの間には、画素ユニットピッチを有し、
前記支持板の前記上Ｒ面取りの曲率半径は、前記画素ユニットピッチの半分よりも小さい。
【００２０】
本発明の他の態様によれば、
前記フレーム部は、少なくとも一つの角取りを有する。
【００２１】
本発明の他の態様によれば、
前記プリント基板は、前記支持板の前記下面（ＰＣＢ）に設けられる。
【００２２】
本発明の他の態様によれば、
少なくとも二つの前記フレキシブルマイクロ発光ダイオード表示パネルの間には、黒テープが設けられる。
【発明の効果】
【００２３】
本発明の態様は、下記の有益な効果を奏する。支持板上のＲ面取り及びフレーム部の角取りとフレキシブルマイクロ発光ダイオード基板とを組み合わせて表示機能を持たないスリットを狭くすることにより、複数のマイクロ発光ダイオードパネルをシームレススプライスすることができ、大きいサイズのマイクロ発光ダイオード表示装置を実現することができる。
【図面の簡単な説明】
【００２４】
【図１】本発明の実施例に係るマイクロ発光ダイオード表示装置の構造の側面模式図である。
【図２】本発明の実施例に係るフレキシブルマイクロ発光ダイオード表示パネルが展開状態にあるときの上面図である。
【図３】図１に示される実施例における上Ｒ面取りの側面図である。
【図４】本発明の実施例に係るフレキシブルマイクロ発光ダイオード表示パネルが折り曲げ状態にあるときの上面図である。
【発明を実施するための形態】
【００２５】
前述した本発明の内容をより分かりやすくするために、以下、明細書の添付図面を参考しながら本発明の好適な実施例を詳しく説明する。
【００２６】
下記の各実施例についての説明は、図面を参照しながら、本発明の実施可能な特定実施例を例示するためのものである。また、本発明の実施例を説明するための用語として、「上」、「下」、「頂」、「底」、「前」、「後」、「左」、「右」、「内」、「外」、「側面」、「周囲」、「中央」、「水平」、「横方向」、「直交」、「縦方向」、「軸方向」、「径方向」、「最上層」、「最下層」等が用いられる。これらの用語で示される方位は、図面で示される方位に基づき、本発明を分かりやすく説明するためのものであり、本発明を限定するものではない。
【００２７】
図１から図４を参照されたい。図１は、本発明の実施例に係るマイクロ発光ダイオード表示装置の構造の側面模式図である。図２は、本発明の実施例に係るフレキシブルマイクロ発光ダイオード表示パネルが展開状態にあるときの上面図である。図３は、図１に示される実施例における上Ｒ面取りの側面図である。図４は、本発明の実施例に係るフレキシブルマイクロ発光ダイオード表示パネルが折り曲げ状態にあるときの上面図である。
【００２８】
図１に示すように、本発明のある実施例によれば、マイクロ発光ダイオード表示装置が提供される。前記マイクロ発光ダイオード表示装置は、第１フレキシブルマイクロ発光ダイオード表示パネル１００と、第２フレキシブルマイクロ発光ダイオード表示パネル２００と、黒テープ３００と、を含む。前記マイクロ発光ダイオード表示装置は、スプライス式マイクロ発光ダイオード表示装置であってもよい。
【００２９】
前記第１フレキシブルマイクロ発光ダイオード表示パネル１００は、支持板１１０と、フレキシブルマイクロ発光ダイオード基板１２０と、プリント基板（ＰＣＢ）１３０と、を含む。
【００３０】
前記支持板１１０は、上面１１１と、下面１１２と、側面１１３と、上Ｒ面取り１１４と、を有する。前記側面１１３は、前記上面１１１と前記下面１１２とを接続する。前記上Ｒ面取り１１４は、前記上面１１１と前記側面１１３とを接続する。また、前記支持板１１０は、下Ｒ面取り１１５をさらに有してもよい。前記下Ｒ面取り１１５は、前記下面１１２と前記側面１１３とを接続する。
【００３１】
図１及び図２に示すように、前記フレキシブルマイクロ発光ダイオード基板１２０は、表示領域ＡＡと、四つのフレーム部１２１、１２２、１２３、１２４と、を有する。前記表示領域ＡＡは、前記上面１１１に設けられるとともに複数のマイクロ発光ダイオードが設けられる。前記フレーム部１２１は、前記上Ｒ面取り１１４及び前記側面１１３に設けられる。図１を例として説明すると、前記フレーム部１２１は、前記上Ｒ面取り１１４、前記側面１１３、前記下Ｒ面取り１１５、及び前記下面１１２の一部に接触可能である。これによって、前記フレーム部１２１、１２２、１２３、１２４は、折り曲げられて前記下面１１２に延在することができる。前記フレーム部１２１、１２２、１２３、１２４は、折り曲げられる際に互いに重ならないように、それぞれ角取り１２２ａ、１２３ａ、１２４ａ、１２４ｂをさらに有してもよい。ここで、前記角取りは、必要に応じて変化できることを理解されたい。また、前記フレキシブルマイクロ発光ダイオード基板１２０は、多層フィルム構造であってもよい。例えば、フレキシブル有機フィルム層を含んでもよい。例えば、ポリイミド（Ｐｏｌｙｉｍｉｄｅ，ＰＩ）をベースとして使用して前記フレキシブルマイクロ発光ダイオード基板１２０を構成する。
【００３２】
図１及び図３に示すように、複数の前記マイクロ発光ダイオードにより複数の画素ユニット１２５が形成される。隣り合う二つの画素ユニット１２５の間には、画素ユニットピッチＤ１を有する。前記上Ｒ面取り１１４の曲率半径Ｒ１は、前記画素ユニットピッチＤ１の半分よりも小さい。ここで、前記下Ｒ面取り１１５の曲率半径が前記画素ユニットピッチの半分より小さくなってもよいことを理解されたい。ここで、例を挙げて説明すると、単一の前記画素ユニット１２５は、一つのレッドマイクロ発光ダイオード、一つのグリーンマイクロ発光ダイオード、及び一つのブルーマイクロ発光ダイオードから構成される。前記画素ユニット１２５における複数の前記マイクロ発光ダイオードの数、色及び配列は、デザインによって変化できることを理解されたい。
【００３３】
前記ＰＣＢ１３０は、例えばチップオンフィルム（ＣＯＦ）１４０を介して、前記フレーム部１２１に電気的に接続される。即ち、前記ＣＯＦ１４０は、前記ＰＣＢ１３０と前記フレーム部１２１とを接続する。また、前記フレーム部１２２は、ＣＯＦ１５０に接続されてもよい。ここで、前記ＣＯＦ１４０は、ソースドレインの信号の伝送に用いられ、前記ＣＯＦ１５０は、ゲート信号の伝送に用いられる。前記ＣＯＦ１４０と前記ＣＯＦ１５０との接続関係及び作用は、必要に応じて変化できることを理解されたい。また、前記ＰＣＢ１３０及び前記フレーム部１２１は、他の実現可能な技術によって電気的な接続を実現してもよい。
【００３４】
前記第２フレキシブルマイクロ発光ダイオード表示パネル２００は、支持板２１０と、フレキシブルマイクロ発光ダイオード基板２２０と、ＰＣＢ２３０を含む。
【００３５】
前記支持板２１０は、上面２１１と、下面２１２と、側面２１３と、上Ｒ面取り２１４と、を有する。前記側面２１３は、前記上面２１１と前記下面２１２とを接続する。前記上Ｒ面取り２１４は、前記上面２１１と前記側面２１３とを接続する。また、前記支持板２１０は、下Ｒ面取り２１５をさらに有してもよい。前記下Ｒ面取り２１５は、前記下面２１２と前記側面２１３とを接続する。
【００３６】
前記フレキシブルマイクロ発光ダイオード基板２２０は、表示領域ＡＡと、例えば前記フレーム部２２１のような複数のフレーム部と、を有する。前記表示領域ＡＡは、前記上面２１１に設けられるとともに複数のマイクロ発光ダイオードが設けられる。前記フレーム部２２３は、前記上Ｒ面取り２１４及び前記側面２１３に設けられる。図２を例として説明すると、前記フレーム部２２１は、前記上Ｒ面取り２１４、前記側面２１３、前記下Ｒ面取り２１５、及び前記下面２１２の一部に接触可能である。これによって、前記フレーム部２２１は、折り曲げられて前記下面２１２に延在することができる。前記フレーム部２２１は、折り曲げられる際に互いに重ならないように、それぞれ角取りをさらに有してもよい。ここで、前記角取りは、必要に応じて変化できることを理解されたい。
【００３７】
複数の前記マイクロ発光ダイオードにより複数の画素ユニット２２５が形成される。隣り合う二つの画素ユニット２２５の間には、画素ユニットピッチを有する。前記上Ｒ面取り２１４の曲率半径は、前記画素ユニットピッチの半分よりも小さい(図３参照)。前記下Ｒ面取り２１５の曲率半径が前記画素ユニットピッチの半分より小さくなってもよいことを理解されたい。ここで、例を挙げて説明すると、単一の前記画素ユニット２２５は、一つのレッドマイクロ発光ダイオード、一つのグリーンマイクロ発光ダイオード、及び一つのブルーマイクロ発光ダイオードから構成される。前記画素ユニット２２５における複数の前記マイクロ発光ダイオードの数、色及び配列は、デザインによって変化できることを理解されたい。
【００３８】
前記ＰＣＢ２３０は、例えばチップオンフィルム（ＣＯＦ）２４０を介して、前記フレーム部２２１に電気的に接続される。即ち、前記ＣＯＦ２４０は、前記ＰＣＢ２３０と前記フレーム部２２１とを接続する。また、前記ＰＣＢ２３０及び前記フレーム部２２１は、他の実現可能な技術によって電気的な接続を実現してもよい。
【００３９】
図４に示すように、前記第１フレキシブルマイクロ発光ダイオード表示パネル１００を例として説明すると、前記フレーム部１２１、１２２は、折り曲げ状態において、前記支持板１１０の前記下面１１２、即ち前記表示領域ＡＡの下方までに折り曲げられる。前記ＰＣＢ１３０も前記下面１１２に設けられる。これによって、前記フレキシブルマイクロ発光ダイオード基板１２０のフレーム部をできるだけ小さくすることができる。同様に、前記第２フレキシブルマイクロ発光ダイオード表示パネル２００の前記フレキシブルマイクロ発光ダイオード基板２２０のフレーム部もできるだけ小さくすることができる。そうすると、前記第１フレキシブルマイクロ発光ダイオード表示パネル１００と、前記第２フレキシブルマイクロ発光ダイオード表示パネル２００とをシームレススプライスすることができる。
【００４０】
また、図１に示すように、前記第１フレキシブルマイクロ発光ダイオード表示パネル１００と前記第２フレキシブルマイクロ発光ダイオード表示パネル２００との間には、前記黒テープ３００が設けられる。前記黒テープ３００は、前記第１フレキシブルマイクロ発光ダイオード表示パネル１００と前記第２フレキシブルマイクロ発光ダイオード表示パネル２００とがスプライスされるように、前記フレーム部１２１と前記フレーム部２２１との間に設けられる。
【００４１】
本発明の態様は、下記の有益な効果を奏する。支持板上のＲ面取り及びフレーム部の角取りとフレキシブルマイクロ発光ダイオード基板とを組み合わせて表示機能を持たないスリットを狭くすることにより、複数のマイクロ発光ダイオードパネルをシームレススプライスすることができ、大きいサイズのマイクロ発光ダイオード表示装置を実現することができる。
【００４２】
以上、本発明は好適実施例で上記のように開示されたが、当業者は、本開示の精神及び範囲から逸脱しない限り、若干の変更及び修正を加えることができる。したがって、本開示の保護範囲は、特許請求の範囲によって定義される範囲に準ずる。
【図１】
2022501629.tif 000003
【図２】
2022501629.tif 000004
【図３】
2022501629.tif 000005
【図４】
2022501629.tif 000006
【国際調査報告】
2022501629.tif 000007
2022501629.tif 000008
2022501629.tif 000009
2022501629.tif 000010